(57)【特許請求の範囲】
【請求項１】
複数の成分について、薄層クロマトグラフィを行ったときの各成分の移動度Ｒf値の実測値を入力するための実測値入力手段と、
この実測値入力手段で入力された移動度Ｒf値における、液体クロマトグラフィのカラムへの試料の負荷量を求めるための負荷量算出手段と、
この負荷量算出手段で求められた負荷量を出力する負荷量出力手段と、
を備えることを特徴とする、液体クロマトグラフィの条件決定支援装置。
【請求項２】
請求項１に記載の液体クロマトグラフィの条件決定支援装置であって、
前記負荷量算出手段は、
前記実測値入力手段で入力された移動度Ｒf値から、当該複数の成分を所定の分離度で分離可能とするために必要な理論段数を求める第１演算手段と、
前記理論段数と、液体クロマトグラフィのカラムへの試料の負荷量との関係を予め記憶しておくための記憶手段と、
この記憶手段に記憶された関係に基づいて、前記第１演算手段で求められた理論段数から負荷量を求めるための第２演算手段と、
を備えることを特徴とする、液体クロマトグラフィの条件決定支援装置。
【請求項３】
請求項１又は２に記載の液体クロマトグラフィの条件決定支援装置であって、
前記負荷量算出手段は、前記移動度Ｒf値から、液体クロマトグラフィの複数種類のカラムについて、前記負荷量を当該カラムの種類ごとに求めるものとし、
前記負荷量出力手段は、前記カラムのそれぞれの種類について負荷量を出力するように構成されていることを特徴とする、液体クロマトグラフィの条件決定支援装置。
【請求項４】
請求項１から３までの何れか一項に記載の液体クロマトグラフィの条件決定支援装置であって、
前記実測値入力手段は、ディスプレイ装置の表示画像の任意の点を指示可能なポインティング装置を含み、
前記移動度Ｒf値の実測値は、前記ディスプレイ装置に描画された薄層板の画像上の点を前記ポインティング装置で指示することにより入力可能であることを特徴とする、液体クロマトグラフィの条件決定支援装置。
【請求項５】
請求項１から４までの何れか一項に記載の液体クロマトグラフィの条件決定支援装置を備えることを特徴とする液体クロマトグラフ。
【請求項６】
複数の成分について、薄層クロマトグラフィを行ったときの各成分の移動度Ｒf値の実測値を入力するための実測値入力手段、
この実測値入力手段で入力された移動度Ｒf値における、液体クロマトグラフィのカラムへの試料の負荷量を求めるための負荷量算出手段、及び、
この負荷量算出手段で求められた負荷量を出力する負荷量出力手段、
としてコンピュータを機能させることを特徴とする、液体クロマトグラフィの条件決定支援プログラム。
【請求項７】
請求項６に記載の液体クロマトグラフィの条件決定支援プログラムであって、
前記負荷量算出手段は、
前記実測値入力手段で入力された移動度Ｒf値から、当該複数の成分を所定の分離度で分離可能とするために必要な理論段数を求める第１演算手段と、
前記理論段数と、液体クロマトグラフィのカラムへの試料の負荷量との関係を予め記憶しておくための記憶手段と、
この記憶手段に記憶された関係に基づいて、前記第１演算手段で求められた理論段数から負荷量を求めるための第２演算手段と、
を備えることを特徴とする、液体クロマトグラフィの条件決定支援プログラム。
【請求項８】
請求項６又は７に記載の液体クロマトグラフィの条件決定支援プログラムであって、
前記負荷量算出手段は、前記移動度Ｒf値から、液体クロマトグラフィの複数種類のカラムについて、前記負荷量を当該カラムの種類ごとに求めるものとし、
前記負荷量出力手段は、前記カラムのそれぞれの種類について負荷量を出力するように構成されていることを特徴とする、液体クロマトグラフィの条件決定支援プログラム。
【請求項９】
請求項６から８までの何れか一項に記載の液体クロマトグラフィの条件決定支援プログラムであって、
前記実測値入力手段において、前記移動度Ｒf値の実測値は、コンピュータのディスプレイ装置に描画された薄層板の画像上の点をポインティング装置で指示することにより入力可能であることを特徴とする、液体クロマトグラフィの条件決定支援プログラム。
【発明の詳細な説明】
【技術分野】
【０００１】
本発明は、移動相として液体溶媒（溶離液）を用いる液体クロマトグラフィに関する。詳細には、液体クロマトグラフィを行う際の条件検討に関する。
【背景技術】
【０００２】
液体クロマトグラフィにおいては、固定相が充填された分離カラムに、複数の成分を有する試料、及び、所定の混合比で混合された複数の溶媒からなる移動相に相当する溶離液が流される。このとき、溶離液とともにカラムに流入した試料は、カラムに充填された固定相に吸着しつつ溶離液の流下に伴って移動し、所定時間後にカラムから排出される。
【０００３】
ここで、試料に含まれた各成分が排出されるのに要する時間は、溶離液との親和性やカラムの固定相と各成分との相互作用等に依存し、成分ごとに異なる。具体的にいえば、溶離液との親和性が弱いものや、固定相との相互作用が強いものは、カラム内に長く留まる。一方、溶離液との親和性が強いものや、固定相との相互作用が弱いものは、早く排出される。これによって、カラムに設置された試料が成分ごとに分離されて溶出する。
【０００４】
このような液体クロマトグラフィを行う液体クロマトグラフは、例えば特許文献１に開示されている。
【特許文献１】特開２００３−２４０７６５号公報
【発明の開示】
【発明が解決しようとする課題】
【０００５】
上記の液体クロマトグラフィにおいては、分離用カラムのサイズと負荷量は、例えば内径が２ｃｍのカラムでは負荷量は大体１グラム近辺が良い、というように、単に経験と勘に頼って決定されることが多かった。また、カラムのサイズと負荷量は、各成分の溶離液との親和性や各成分の固定相との相互作用の差異（選択性）等を考慮せず単純に決定されていたため、予測が外れることも多かった。従って、液体クロマトグラフィによる分析や分取に失敗したり、無用に長時間を要してしまったりすることが頻発しており、クロマトグラフィの効率を低下させてしまっていた。
【課題を解決するための手段及び効果】
【０００６】
本発明の解決しようとする課題は以上の如くであり、次にこの課題を解決するための手段とその効果を説明する。
【０００７】
本発明の第１の観点によれば、以下のように構成する、液体クロマトグラフィの条件決定支援装置が提供される。即ち、複数の成分について、薄層クロマトグラフィを行ったときの各成分の移動度Ｒf値の実測値を入力するための実測値入力手段と、この実測値入力手段で入力された移動度Ｒf値における、液体クロマトグラフィのカラムへの試料の負荷量を求めるための負荷量算出手段と、この負荷量算出手段で求められた負荷量を出力する負荷量出力手段と、を備える。
【０００８】
この構成により、薄層クロマトグラフィで得られた移動度の結果（Ｒf値）から適切な負荷量を計算してユーザに呈示することができ、ユーザ側としてはこれを参考にしながら条件を決定することで、分離等の作業効率を向上させることができる。
【０００９】
前記の液体クロマトグラフィの条件決定支援装置においては、以下のように構成することが好ましい。即ち、前記負荷量算出手段は、前記実測値入力手段で入力された移動度Ｒf値から、当該複数の成分を所定の分離度で分離可能とするために必要な理論段数を求める第１演算手段と、前記理論段数と、液体クロマトグラフィのカラムへの試料の負荷量との関係を予め記憶しておくための記憶手段と、この記憶手段に記憶された関係に基づいて、前記第１演算手段で求められた理論段数から負荷量を求めるための第２演算手段と、を備える。
【００１０】
この構成により、適切な分離度を実現するための負荷量をユーザに提示できるので、良好なクロマトグラフィ結果が容易に得られる。
【００１１】
前記の液体クロマトグラフィの条件決定支援装置においては、以下のように構成することが好ましい。即ち、前記負荷量算出手段は、前記移動度Ｒf値から、液体クロマトグラフィの複数種類のカラムについて、前記負荷量を当該カラムの種類ごとに求めるものとする。前記負荷量出力手段は、前記カラムのそれぞれの種類について負荷量を出力するように構成されている。
【００１２】
この構成により、例えば分離したい試料の負荷量が決まっている場合に、それを好適に分離できるカラムを複数種類の中から適切に選定できるよう、ユーザの条件決定過程を支援できる。
【００１３】
前記の液体クロマトグラフィの条件決定支援装置においては、以下のように構成することが好ましい。即ち、前記実測値入力手段は、ディスプレイ装置の表示画像の任意の点を指示可能なポインティング装置を含む。前記移動度Ｒf値の実測値は、前記ディスプレイ装置に描画された薄層板の画像上の点を前記ポインティング装置で指示することにより入力可能である。
【００１４】
この構成により、事前に行われた薄層クロマトグラフィでの薄層板の状態をそのまま入力するかのような直感的で優れた操作性を提供でき、容易な操作で的確に移動度Ｒf値を入力できる。
【００１５】
本発明の第２の観点によれば、以下のように構成する、液体クロマトグラフィの条件決定支援プログラムが提供される。即ち、コンピュータを、複数の成分について、薄層クロマトグラフィを行ったときの各成分の移動度Ｒf値の実測値を入力するための実測値入力手段、この実測値入力手段で入力された移動度Ｒf値における、液体クロマトグラフィのカラムへの試料の負荷量を求めるための負荷量算出手段、及び、この負荷量算出手段で求められた負荷量を出力する負荷量出力手段として機能させる。
【００１６】
この構成により、薄層クロマトグラフィで得られた移動度Ｒf値の結果から適切な負荷量を計算してユーザに呈示することができ、ユーザ側としてはこれを参考にしながら条件を決定することで、分離等の作業効率を向上させることができる。
【００１７】
前記の液体クロマトグラフィの条件決定支援プログラムにおいては、以下のように構成することが好ましい。即ち、前記負荷量算出手段は、前記実測値入力手段で入力された移動度Ｒf値から、当該複数の成分を所定の分離度で分離可能とするために必要な理論段数を求める第１演算手段と、前記理論段数と、液体クロマトグラフィのカラムへの試料の負荷量との関係を予め記憶しておくための記憶手段と、この記憶手段に記憶された関係に基づいて、前記第１演算手段で求められた理論段数から負荷量を求めるための第２演算手段と、を備える。
【００１８】
この構成により、適切な分離度を実現するための負荷量をユーザに提示できるので、良好なクロマトグラフィ結果が容易に得られる。
【００１９】
前記の液体クロマトグラフィの条件決定支援プログラムにおいては、以下のように構成することが好ましい。即ち、前記負荷量算出手段は、前記移動度Ｒf値から、液体クロマトグラフィの複数種類のカラムについて、前記負荷量を当該カラムの種類ごとに求めるものとする。前記負荷量出力手段は、前記カラムのそれぞれの種類について負荷量を出力するように構成されている。
【００２０】
この構成により、例えば分離したい試料の負荷量が決まっている場合に、それを好適に分離できるカラムを複数種類から適切に選定できるよう、ユーザの条件決定過程を支援できる。
【００２１】
前記の液体クロマトグラフィの条件決定支援プログラムにおいては、前記実測値入力手段において、前記移動度Ｒf値の実測値は、コンピュータのディスプレイ装置に描画された薄層板の画像上の点をポインティング装置で指示することにより入力可能であることが好ましい。
【００２２】
この構成により、事前に行われた薄層クロマトグラフィでの薄層板の状態をそのまま入力するかのような直感的で優れた操作性を提供でき、容易な操作で的確に移動度Ｒf値を入力できる。
【００２３】
また、本発明の他の観点によれば、上記の構成の液体クロマトグラフィの条件決定支援装置を備える液体クロマトグラフが提供される。
【発明を実施するための最良の形態】
【００２４】
次に、発明の実施の形態を説明する。図１は薄層クロマトグラフィによって各成分の移動度Ｒf値を実測する方法を示す説明図である。
【００２５】
まず図１を参照して、液体クロマトグラフィを行う前段階の工程としての薄層クロマトグラフィ（ＴＬＣ）について説明する。この薄層クロマトグラフィは、分離する試料の各成分１，２の移動度Ｒf1，Ｒf2を実測するために行われるものである。
【００２６】
薄層クロマトグラフィの方法を説明すると、先ず、固定相としてのシリカゲル粉末を細長い平板（例えば、ガラス板）の表面上に薄く均一に塗布して、シリカゲル薄層板１１を作成する。そして、このシリカゲル薄層板１１上のシリカゲルに、分離したい試料を１滴滴下し、試料スポット１２を形成させておく。この滴下する試料は、少なくとも２つの成分（成分１と成分２）が混合したものである。
【００２７】
次に、このシリカゲル薄層板１１の下部を、図１の左側に示すように、容器１３に貯溜した溶離液１４に浸漬する。すると、薄層板１１上のシリカゲル薄層に溶離液１４が毛管現象によって吸い上げられてゆく。これに伴い、試料スポット１２も上方へ移動するが、試料に含まれた各成分が上昇する速度は、溶離液１４との親和性や固定相としてのシリカゲルとの相互作用等に依存し、成分ごとに異なる。従って、所定の時間が経過すると、図１の右側に示すように、試料スポット１２に含まれていた成分１は１２ａの位置まで、成分２は１２ｂの位置まで、それぞれ移動することになる。このようにして２つの成分の分離が実現される。
【００２８】
以上の状態で、薄層板１１を溶離液１４に浸漬する前の試料スポット１２の位置から、吸い上げられた溶離液１４の上端位置までの距離Ｌ0を測定するとともに、試料の各成分の移動距離Ｌr1，Ｌr2を併せて測定する。そして、各成分の移動度Ｒf1，Ｒf2を、Ｒf1＝Ｌr1／Ｌ0，Ｒf2＝Ｌr2／Ｌ0の式に従って求める。求めた値は、後述する液体クロマトグラフのパーソナルコンピュータへ入力するために、適宜記録しておく。
【００２９】
次に、図２及び図３を参照して液体クロマトグラフを説明する。図２は液体クロマトグラフの模式図及びブロック図、図３は液体クロマトグラフの制御用パーソナルコンピュータにおいて、条件決定支援プログラムが実現する機能を示すブロック図である。
【００３０】
この液体クロマトグラフ２１は、２つの容器３１・３２と、これらの容器３１・３２からそれぞれ延びる送液経路の相互接続箇所に設けられる電磁弁３３と、ポンプ３６と、溶離液３４が貯溜される混合器３５と、ポンプ３７と、インジェクタ３８と、カラム３９と、検出器４０と、フラクションコレクタ４１とが、送液方向に従って上記の順に配置されている。また、液体クロマトグラフ２１はパーソナルコンピュータ５１を備えており、このパーソナルコンピュータ５１は、上記の各装置を所望のクロマトグラフィ条件に従って制御する制御装置としての機能と、当該クロマトグラフィ条件をユーザが決定する際にそれを支援する条件決定支援装置としての機能を備えている。
【００３１】
容器３１には溶媒Ａが貯溜され、容器３２には溶媒Ｂが貯溜されている。なお、用いられる溶媒はＡ，Ｂの２種類に限定されず、使用状態や目的に応じて数を増やしても良い。一般に、溶媒Ａ及び溶媒Ｂとしては、非極性分子と極性分子との組み合わせが用いられる。
【００３２】
前記ポンプ３６は、電磁弁３３を介して溶媒Ａ，Ｂを汲み上げるように構成している。電磁弁３３は、前記パーソナルコンピュータ５１からの制御信号に基づいて、汲み上げられる溶媒を溶媒Ａ又は溶媒Ｂから選択し、かつその選択時間の割合を調整することで、所定の混合比の溶離液３４とする。なお、この溶離液３４は、上記の薄層クロマトグラフィ（図１）において使用された溶離液１４と同じ種類のものが使用される。
【００３３】
インジェクタ３８は試料を保持しており、混合器３５からポンプ３７により吸引され吐出された溶離液３４がインジェクタ３８を通過することで、試料を送出するように構成されている。
【００３４】
カラム３９は内部に固定相が充填された管状容器とされており、この固定相を試料が前記溶離液３４とともに通過することで液体クロマトグラフィが行われる。この固定相としては、薄層クロマトグラフィ（図１）において薄層板１１に積層されたものと同じものを使用することとし、本実施形態ではシリカゲルを使用している。
【００３５】
なお、このカラム３９は、カラム寸法（カラム径やカラム長さ）や前記固定相の種類等が異なる複数種類のものが用意されており、これらから１種類を適宜選択して液体クロマトグラフ２１にセットして使用できるように構成している。
【００３６】
検出器４０は、前記カラム３９の下流側に配置されており、当該カラム３９で行われる液体クロマトグラフィの結果を検出するものである。この検出結果は、上記パーソナルコンピュータ５１へ送信されるようになっている。また、フラクションコレクタ４１は複数の試験管を備えており、検出器４０の分析結果に基づいて、試料に含まれる成分ごとに各試験管に分取できるように構成されている。
【００３７】
前記パーソナルコンピュータ５１は汎用のものを使用しており、図２に示すように、ＣＰＵ５２と、メモリ５３と、ハードディスク５４と、外部とのインターフェース５５と、キーボード５６と、マウス（ポインティング装置）５７と、ディスプレイ装置５８と、を備えている。
【００３８】
そして、前記パーソナルコンピュータ５１は、前記薄層クロマトグラフィを行ったときの各成分の移動度Ｒf1，Ｒf2の実測値入力手段６１と、実測値入力手段６１で入力された移動度Ｒf1，Ｒf2における、液体クロマトグラフィのカラム３９への試料の負荷量を算出する負荷量算出手段６２と、この負荷量算出手段６２で求められた負荷量を出力する負荷量出力手段６３と、を備えている。
【００３９】
また、負荷量算出手段６２は、実測値入力手段６１で入力された前記移動度Ｒf1，Ｒf2から、当該２つの成分を所定の分離度Ｒsで分離可能とするために必要な理論段数Ｎを求める第１演算手段６４や、前記理論段数Ｎと、前記カラム３９への試料の負荷量との関係を記憶可能な記憶手段６５や、この記憶手段６５に記憶された関係に基づいて、前記第１演算手段６４で求められた理論段数Ｎから負荷量を求める第２演算手段６６を備えている。
【００４０】
具体的には、液体クロマトグラフィの制御プログラムや条件決定支援プログラム等を含む各種のソフトウェアがパーソナルコンピュータ５１のハードディスク５４に記憶されている。そして、上記ハードウェア及びソフトウェアが組み合わされることによって、図２に示す上記の各手段６１〜６６が構築されている。
【００４１】
なお、上記のソフトウェアは、当該プログラムを記録したＣＤ−ＲＯＭ、ＦＤ、ＭＯ等の記録媒体を用いてインストールすることで、パーソナルコンピュータ５１のハードディスク５４に記憶させることができる。あるいは、上記インストールは、インターネット等のネットワークを介して行うことも可能である。
【００４２】
上記のパーソナルコンピュータ５１を用いて液体クロマトグラフィの条件設定を行うのであるが、この条件には、例えば、溶離液３４の混合比や、カラム３９へ流入させる溶離液３４の流量等が含まれる。パーソナルコンピュータ５１はこれらの条件に基づいて電磁弁３３やポンプ３６・３７等を制御し、液体クロマトグラフィを行う。また、パーソナルコンピュータ５１は、検出器４０からの検出信号を解析し、ディスプレイ装置５８に流出曲線を描画させたり、ハードディスク５４等に結果を保存したりできるようになっている。
【００４３】
ここで、上記液体クロマトグラフィの条件には、前述した複数種類のカラム３９のうちどのカラムを選択して用いるのか、及び、前記インジェクタ３８にセットする試料の量（負荷量）が含まれている。そして本実施形態では、上記の条件決定支援プログラムによって、ユーザが行うカラム３９の種類の選択や負荷量を適切に決定できるよう、その決定過程を支援するようになっている。
【００４４】
以下、この条件決定支援プログラムについて説明する。図４は条件決定支援プログラムがディスプレイに表示するウインドウを示す図、図５は各サイズのカラムに対する負荷量の計算結果を表示した様子を示す図、図６はＬサイズのカラムを用いた場合の、負荷量と、分離度Ｒs＝１を実現するために必要な理論段数との関係を示す図である。
【００４５】
この条件決定支援プログラムが実行されると、上記ディスプレイ装置５８には、例えば図４のようなＧＵＩ（グラフィカルユーザインタフェース）を備えたウインドウ７１が表示される。このウインドウ７１には、上記の薄層クロマトグラフィで実測した移動度Ｒf1，Ｒf2の数値を入力するためのテキストボックス７２，７３と、薄層クロマトグラフィのシリカゲル薄層板１１でのスポット位置を画面上で指示することで移動度Ｒf1，Ｒf2を指定するためのスポット指示領域７４と、計算された負荷量の結果を表示する結果表示領域７５と、負荷量の計算を指示するＯＫボタン７６と、ウインドウ７１を閉じて条件決定支援プログラムの実行を終了するためのキャンセルボタン７７と、が配置されている。
【００４６】
以上の画面構成で、ユーザはウインドウ７１のテキストボックス７２，７３の部分にマウスポインタ８０を合わせるようにマウス５７を操作してクリックし、移動度Ｒf1，Ｒf2の数値を「０．５」や「０．３」等と、キーボード５６から入力する。両テキストボックス７２，７３に移動度Ｒf1，Ｒf2を入力した後は、ＯＫボタン７６をクリックする。すると、試料の負荷量が後述する手順に従って計算され、その計算結果が結果表示領域７５に表示される。
【００４７】
この結果表示領域７５はテーブル形式になっており、複数あるカラム３９の種類のそれぞれについて、対応する負荷量の数値を一覧形式で出力できるようになっている。本実施形態では、「サイズ」の列にカラム３９の種類（本実施形態の液体クロマトグラフ２１では、Ｓ，Ｍ，Ｌ，２Ｌ，３Ｌ，４Ｌ，５Ｌとサイズの異なる計７つの種類のカラム３９をセット可能である）を表示し、「ｇ」の列に、当該サイズのカラム３９を用いた場合に試料を何グラムセットすべきか（負荷量）を、各サイズについてそれぞれ表示する。例えば図５に示すように、「Ｍ」の行に「０．１」と表示され、「Ｌ」の行に「１．０」と表示される。
【００４８】
この図５の表示から、ユーザは、例えば１グラムの試料を分取したい場合はＬサイズのカラム３９を用いれば良好な結果が得られるだろうという情報を得ることができる。従って、ユーザはこの情報を参考にして適切なカラム３９のサイズを選定できるので、液体クロマトグラフィに無用に長い時間を要したり、分取がうまくいかずに分離をやり直したりすることがなくなり、分析作業を顕著に効率化できる。
【００４９】
なお、前記移動度Ｒf1，Ｒf2の入力は、テキストボックス７２，７３を用いてキーボード５６から直接入力するのではなく、スポット指示領域７４を用いて、マウス５７の操作で行うこともできる。このスポット指示領域７４には、前記薄層クロマトグラフィでの薄層板１１を模した図形８１が描かれ、この図形８１内に、前記成分１，成分２のスポット位置１２ａ，１２ｂに対応する円状の２つのスポット図形８２ａ，８２ｂが描かれている。スポット指示領域７４の下部の長い横線は、移動前の試料スポット１２の位置に対応しており、上部の長い横線は、吸い上げられた溶離液１４の位置に対応している。即ち、上下の長い横線の間の距離が、図１で図示する距離Ｌ0に対応している。
【００５０】
図４の表示例では、上側のスポット図形８２ａはＲf1＝０．５の位置に描かれ、下側のスポット図形８２ｂはＲf2＝０．３の位置に描かれている。これを変更するには、例えば下側のスポット図形８２ｂにマウスポインタ８０を合わせた状態でマウスボタンを押し下げ、この状態でマウスポインタを上方へ動かして、所望の位置でマウスボタンを離す。すると、スポット図形８２ｂを上側、例えばＲf2＝０．４の位置へ移動させることができる（そのようにプログラムされている）。この移動と同時に、テキストボックス７３に入力されている数値は、新しいスポット図形８２ｂの位置に対応する数値（０．４）に自動的に変更される。また、成分１の移動度Ｒf1についても、上側のスポット図形８２ａを上記と同様にドラッグ操作することで、容易に設定することができる。
【００５１】
以上により、図１の薄層クロマトグラフィ結果のスポット位置１２ａ，１２ｂをそのままディスプレイ装置５８の画面上で指定する感覚で各成分の移動度Ｒf1，Ｒf2を指定でき、直感的で優れた操作性が実現されている。また、移動度Ｒf1，Ｒf2のマウス５７による指示を更に容易とするために、スポット指示領域７４には、前記の距離Ｌ0を適宜の間隔で等分する目盛７８が描かれるとともに、スポット指示領域７４の脇の位置には、操作方法を説明する説明文７９が表示されている。
【００５２】
なお、テキストボックス７２，７３から移動度Ｒf1，Ｒf2を直接数値で入力すると、その数値に対応した位置に、前記スポット指示領域７４のスポット図形８２ａ，８２ｂが自動的に移動するようになっている。これにより、ユーザは移動度Ｒf1，Ｒf2の入力値の確認を容易に行うことができ、入力ミスが防止される。
【００５３】
次に、上記の負荷量の計算について、以下詳細に説明する。一般に試料の液体クロマトグラフィにおいて、当該試料の成分である成分１と成分２との分離の度合いを表す指標（流出曲線におけるピーク、バンドの接近度）として分離度Ｒsがあり、この分離度Ｒsは以下の式（１）のように表せることが知られている。
【数１】
0004680761.tif 000002
なお、上記の式において、Ｎは理論段数、αは選択性因子、ｋ’は保持比である。
【００５４】
ここで前記保持比ｋ’は、溶離液３４とともに試料がカラム３９に流入し始めてから溶離液３４がカラム３９から流出するまでの時間（所謂ボイドタイム）をｔ0とし、溶離液３４とともに試料がカラム３９に流入し始めてからカラム３９から流出するまでの時間をｔrとすると、下記の式（２）で表される。
【数２】
0004680761.tif 000003
【００５５】
そして、本実施形態の液体クロマトグラフ２１では、目的物質のピーク時間ｔrが上記ボイドタイムｔ0のほぼ４倍の値になるように、パーソナルコンピュータ５１でクロマトグラフィ条件を適宜自動設定するよう構成している（ｔr＝４×ｔ0）。この条件を上記の式（２）に当てはめると、ｋ’＝３になる。
【００５６】
また、本実施形態の液体クロマトグラフ２１では、前記フラクションコレクタ４１での各試験管への分取を好適に行うために必要十分な分離度の具体的な値として、Ｒs＝１を設定している。従って、上記の式（１）にＲs＝１、ｋ’＝３を代入し、更にＮ＝の形に変形することで、分離度Ｒs＝１を実現するために必要な理論段数Ｎの式を下記の式（３）のように導くことができる。
【数３】
0004680761.tif 000004
【００５７】
そして、前記の選択性因子αは、具体的には下記の式（４）で表される。
【数４】
0004680761.tif 000005
【００５８】
上記の式（４）において、ｋ1’及びｋ2’は、成分１及び成分２についての個別の保持比である。即ち、液体クロマトグラフィ開始から成分１のピークが現れるまでの時間をｔr1、成分２のピークが現れるまでの時間をｔr2としたときに、ｋ1’及びｋ2’は、下記の式（５）で表される。
【数５】
0004680761.tif 000006
【００５９】
ここで、上述した薄層クロマトグラフィにおける各成分の移動度Ｒf1，Ｒf2は、固定相内の各成分の移動速度の溶離液移動速度に対する比として捉えることができる。一方、液体クロマトグラフィにおいては、固定相内の各成分の移動速度の溶離液移動速度に対する比は、上記のボイドタイムｔ0を、カラム３９内を各成分が移動するのに要した時間ｔr1、ｔr2でそれぞれ除することで得られる。従って、各成分について、薄層クロマトグラフィでの移動速度の比（移動度Ｒf1，Ｒf2）と液体クロマトグラフィでの保持時間の比（ｔ0／ｔr1，ｔ0／ｔr2）とをそれぞれ等しいとおくことで、下記の式（６）を導くことができる。
【数６】
0004680761.tif 000007
上記の式は、薄層クロマトグラフィと液体クロマトグラフィとを具体的に関係付ける重要な式として知られている。
【００６０】
そして、上述の式（５）を変形することで、ｋ1’及びｋ2’を、移動度Ｒf1，Ｒf2を用いて下記の式（７）のように表すことができる。
【数７】
0004680761.tif 000008
【００６１】
この式（７）の関係を式（４）へ代入し、得られたαを更に式（３）へ代入することで、下記の式（８）が導かれる。
【数８】
0004680761.tif 000009
【００６２】
ここで２５６／９≒２８であり、またａ＝１／Ｒf1とおくことで、上記の式（８）は下記の式（９）のように変形できる。
【数９】
0004680761.tif 000010
【００６３】
以上により、分離度Ｒs＝１を実現するために必要な理論段数Ｎと、移動度Ｒf1，Ｒf2との関係が得られる。即ち、上記の条件決定支援プログラムでは、上記のＯＫボタン７６がクリックされると、テキストボックス７２，７３に入力されている移動度Ｒf1，Ｒf2から、上記の式（９）を用いて、Ｒs＝１を実現するために必要な理論段数Ｎを求めるようになっている。以上により、図３に示す第１演算手段６４の機能が実現されている。例えば、図４のウインドウでの入力例に示すようにＲf1＝０．５，Ｒf2＝０．３が指定されたとすると、式（９）から、Ｎ≒８６が得られる。
【００６４】
上記の理論段数Ｎを求めた後は、上述した各サイズのカラム３９のそれぞれについて、当該理論段数Ｎに対応する負荷量を求める。即ち、前記ハードディスク５４には、例えば図６に示すような理論段数Ｎと負荷量との関係が記憶されている（図３に示す記憶手段６５の機能）。この図６に例示するグラフは、横軸に負荷量を、縦軸に理論段数Ｎを、それぞれ対数目盛で表したものである。このグラフに示すように、負荷量が所定の負荷量を下回っているときは理論段数Ｎは大きい値で一定であるが、所定の負荷量以上になると、負荷量の増大に従って理論段数Ｎは対数目盛において直線的（一次関数的）に減少する傾向を示す。
【００６５】
本実施形態においてハードディスク５４に記憶される条件決定支援プログラムには、図６に例示するような理論段数Ｎと負荷量との関係を表した所定の関係式が含まれている。なお、この関係式は事前の実験に基づいて求めたものである。
【００６６】
また、図６ではＬサイズのカラム３９についての関係を代表して示しているが、ＳサイズやＭサイズ等の他のサイズのカラム３９についても、理論段数Ｎと負荷量との関係を実験等で事前に求め、それを関係式として表したものが条件決定支援プログラムに含まれている。このようにして、図３に示す記憶手段６５の機能が実現されている。
【００６７】
次に、前述の計算で得られた理論段数Ｎに対応する負荷量を、前記の関係式を用いて求める。例えば前記の例では理論段数Ｎが８６と計算されたが、Ｌサイズのカラム３９を使用すると仮定すると、理論段数Ｎ＝８６に対応する負荷量は図６のグラフから１グラムになることが判る。以上のようにして、図３に示す第２演算手段６６の機能が実現されている。こうして得られた負荷量は、前述したとおり、ウインドウ７１の結果表示領域７５に表示される。上記の例に照らして言えば、図５のように、結果表示領域７５の「Ｌ」の行に「１．０」という計算結果が表示されることになる。
【００６８】
なお、図５では計算結果の数値を一部しか図示していないが、上記の対応負荷量の計算は、Ｓ，Ｍ，Ｌ，・・・の全てのサイズについて行われる。例えば、Ｍサイズのカラム３９の場合の関係式を用いるとＮ＝８６に対応する負荷量が０．１グラムになると計算された場合、結果表示領域７５の「Ｍ」の行には「０．１」という計算結果が表示されることになる。
【００６９】
以上に示すように、本実施形態の液体クロマトグラフ２１が備えるパーソナルコンピュータ５１は、複数の成分について、薄層クロマトグラフィを行ったときの各成分の移動度Ｒf1，Ｒf2の実測値を入力するための実測値入力手段６１と、この実測値入力手段６１で入力された移動度Ｒf1，Ｒf2から、液体クロマトグラフィのカラム３９への試料の負荷量を求めるための負荷量算出手段６２と、この負荷量算出手段６２で求められた負荷量を出力する負荷量出力手段６３と、を備える。
【００７０】
従って、薄層クロマトグラフィで得られた移動度Ｒf1，Ｒf2の結果から適切な負荷量を計算してユーザに呈示することができ、ユーザ側としてはこれを参考にしながら条件を決定することで、分離等の作業効率を向上させることができる。
【００７１】
また、負荷量の計算は上述したとおり各成分１，２の移動度Ｒf1，Ｒf2を基に行われるので、負荷量を合理的に計算することができる。即ち、液体クロマトグラフィでは、成分１と成分２とで溶離液との親和性の差や固定相との相互作用の差が小さい場合は、大きい場合に比べて、良好な分離度を実現するために大きな理論段数（小さな負荷量）が必要になる。この点、本実施形態では、薄層クロマトグラフィにおいて各成分１，２の溶離液との親和性や固定相との相互作用の強弱を意味するパラメータである移動度Ｒf1，Ｒf2を使用して負荷量を計算するので、上記のような事情を適切に考慮しながら計算できることになり、この結果、信頼度の高い負荷量をユーザに呈示できるのである。
【００７２】
また、負荷量算出手段６２は、前記実測値入力手段６１で入力された移動度Ｒf1，Ｒf2から、当該複数の成分を所定の分離度（本実施形態ではＲs＝１）で分離可能とするために必要な理論段数Ｎを求める第１演算手段６４と、前記理論段数Ｎと、液体クロマトグラフィのカラム３９への試料の負荷量との関係（図６に例示する関係）を予め記憶しておくための記憶手段６５と、この記憶手段６５に記憶された関係に基づいて、前記第１演算手段６４で求められた理論段数Ｎから負荷量を求めるための第２演算手段６６と、を備える。
【００７３】
従って、適切な分離度を実現するための条件をユーザに提示できるので、良好なクロマトグラフィ結果が容易に得られる。
【００７４】
また、負荷量算出手段６２は、前記移動度Ｒf1，Ｒf2から、液体クロマトグラフィのＳ，Ｍ，Ｌ，・・・の複数種類のカラム３９について、前記負荷量を当該カラム３９の種類ごとに求めている。そして、前記負荷量出力手段６３は、図５に示すように、前記カラム３９のそれぞれの種類（Ｓ，Ｍ，Ｌ，・・・）ごとに負荷量を出力するように構成されている。
【００７５】
従って、例えば分離したい試料のグラム数が決まっている場合に、それを好適に分離できるサイズのカラム３９をＳ，Ｍ，Ｌ，・・・の中から適切に選定できるよう、ユーザの条件決定過程を支援できる。
【００７６】
更に、前記実測値入力手段６１には、ディスプレイ装置５８の表示画像の任意の点を指示可能なマウス５７が含まれており、前記移動度Ｒf1，Ｒf2の実測値は、前記ディスプレイ装置５８のスポット指示領域７４に描画された薄層板図形８１上の点を前記マウス５７のドラッグ操作で指示することにより入力可能になっている。
【００７７】
従って、事前に行われた薄層クロマトグラフィでの薄層板１１の状態をそのまま入力するかのような直感的で優れた操作性を提供でき、容易な操作で的確に移動度Ｒf1，Ｒf2を入力できる。
【００７８】
以上に本発明の好適な実施形態を説明したが、以上は一例であって、例えば以下のように変更することができる。
【００７９】
上記の実施形態ではサイズが異なる複数種類のカラムから適切なサイズのカラム３９を選択する場合を示したが、これに限らず、例えば内部の固定相が異なる複数種類のカラムから適切なカラムを選択する場合にも、上記の支援プログラムを適用することができる。
【００８０】
上記の条件決定支援プログラムと制御プログラムとを連動させるように構成することができる。例えば、図５の結果表示領域７５において「Ｌ」の行をダブルクリックすれば、ウインドウ７１が閉じられて条件決定支援プログラムが終了するとともに、液体クロマトグラフィの制御プログラムにおいて、Ｌサイズのカラム３９を使用した場合に好適な条件パラメータが直ちに自動設定される、といったようにである。
【００８１】
また、上述した負荷量の計算において、上記のＲs＝１、ｔr＝４×ｔ0等の条件は、分析の目的等を考慮して適宜変更することができる。
【００８２】
図４に示すように、ウインドウ７１が表示された当初の状態では、移動度Ｒf1のテキストボックス７２には最初から「０．５」の数値（所謂デフォルト値）が入力されている。これは、Ｒf1＝０．５とすると上記の式（９）でａ＝２となって計算が簡単になり、処理の都合が良いからである。ただし、デフォルト値を０．５にすることに限らず、他の値を採用しても構わない。
【図面の簡単な説明】
【００８３】
【図１】薄層クロマトグラフィによって各成分の移動度を実測する方法を示す説明図。
【図２】液体クロマトグラフの模式図及びブロック図。
【図３】液体クロマトグラフの制御用パーソナルコンピュータにおいて、条件決定支援プログラムが実現する機能を示すブロック図。
【図４】条件決定支援プログラムがディスプレイに表示するウインドウを示す図。
【図５】条件決定支援プログラムが各サイズのカラムに対する負荷量の計算結果を表示した様子を示す図。
【図６】Ｌサイズのカラムを用いた場合の、負荷量と、分離度Ｒs＝１を実現するために必要な理論段数との関係を示す図。
【符号の説明】
【００８４】
２１  液体クロマトグラフ
３９  カラム
５１  パーソナルコンピュータ
７１  ウインドウ
７２，７３  テキストボックス
７４  スポット指示領域
７５  結果表示領域
【図１】
0004680761.tif 000011
【図２】
0004680761.tif 000012
【図３】
0004680761.tif 000013
【図４】
0004680761.tif 000014
【図５】
0004680761.tif 000015
【図６】
0004680761.tif 000016